(57)【要約】【課題】ストロボ装置を具えた撮像機器において、ポップアップヘッドのポップアップ位置を十分に高く且つ前方の位置に設定する。【解決手段】本発明に係る撮像機器において、ストロボ装置２は、ポップアップヘッド３と、ポップアップヘッド３を収容位置とポップアップ位置との間で往復移動可能に支持する支持機構とを具えている。該支持機構は、支持フレーム４と、支持フレーム４上に昇降可能に支持された昇降部材５と、昇降部材５を降下位置から上昇位置へ向けて付勢する第１付勢手段と、昇降部材５上に配備されてポップアップヘッド３を回動可能に支持するリンク機構100と、該リンク機構100を第１回動姿勢から第２回動姿勢へ向けて付勢する第２付勢手段とを具え、リンク機構100が第１回動姿勢に設定された状態で該リンク機構100が昇降部材５と共に昇降可能であり、昇降部材５が上昇位置に設定された状態でリンク機構100の回動が許容される。【選択図】図１５
2014048449.tif 000002
【特許請求の範囲】
【請求項１】
筐体にストロボ装置が内蔵され、該ストロボ装置は、筐体の前方へ向けて光を発する発光部を有するポップアップヘッドと、該ポップアップヘッドを筐体内部の収容位置と筐体から突出したポップアップ位置との間で往復移動可能に支持する支持機構とを具え、ポップアップヘッドは、前記収容位置から前記ポップアップ位置へ向けて付勢されると共に、前記収容位置にてロックすることが可能な撮像機器において、
前記支持機構は、支持フレームと、支持フレーム上に降下位置と上昇位置の間で昇降可能に支持された昇降部材と、該昇降部材を降下位置から上昇位置へ向けて付勢する第１付勢手段と、昇降部材上に配備されてポップアップヘッドを第１回動姿勢と該回動姿勢から前方へ回動した第２回動姿勢の間で回動可能に支持するリンク機構と、該リンク機構を第１回動姿勢から第２回動姿勢へ向けて付勢する第２付勢手段とを具え、
前記リンク機構が第１回動姿勢に設定された状態で該リンク機構が昇降部材と共に昇降可能であり、昇降部材が上昇位置に設定された状態でリンク機構の回動が許容されることを特徴とする、ストロボ装置を具えた撮像機器。
【請求項２】
前記筐体の上面に、ストロボ装置が出没すべき開口が形成されている請求項１に記載の撮像機器。
【請求項３】
前記昇降部材は、前記筐体の上面に対して垂直方向の昇降が案内されている請求項２に記載の撮像機器。
【請求項４】
前記リンク機構は、前記昇降部材に設けられた２本の回転軸と、前記ポップアップヘッドに設けられた２本の回転軸と、前記昇降部材の２本の回転軸を前記ポップアップヘッドの２本の回転軸にそれぞれ連結する２本のリンク部材とを具えて、４節リンク機構を構成している請求項１又は請求項２に記載の撮像機器。
【請求項５】
前記リンク機構は、第１の回動姿勢から第２の回動姿勢まで回動することによって、ポップアップヘッドを上昇させつつ、発光部を筐体の内側へ向けた姿勢から、筐体の外側から前方へ向けた姿勢まで回転させる請求項１乃至請求項４の何れかに記載の撮像機器。
【請求項６】
前記リンク機構には、前記昇降部材が降下位置と上昇位置の間で往復移動する過程ではリンク機構を第１回動姿勢に保持する回動規制機構が連繋している請求項１乃至請求項５の何れかに記載の撮像機器。
【請求項７】
前記筐体には、前記ポップアップヘッドを収容位置にてロックするヘッドロック機構と、該ヘッドロック機構によるロックを解除するためにロック解除釦が配備されている請求項１乃至請求項６の何れかに記載の撮像機器。
【発明の詳細な説明】
【技術分野】
【０００１】
本発明は、デジタルカメラの如くストロボ装置を具えた撮像機器に関するものである。
【背景技術】
【０００２】
従来、デジタルカメラにおいては、筐体にストロボ装置が内蔵され、該ストロボ装置は、発光部を有するポップアップヘッドと、該ポップアップヘッドを筐体内部の収容位置と筐体から突出したポップアップ位置との間で往復移動可能に支持するリンク機構とを具え、ポップアップヘッドは、収容位置からポップアップ位置へ向けて付勢されると共に、収容位置にてロックすることが可能となっている(特許文献１、２)。
【先行技術文献】
【特許文献】
【０００３】
【特許文献１】特開２０１２−１３３１４１号公報
【特許文献１】特開２０１２−１２３３３５号公報
【発明の概要】
【発明が解決しようとする課題】
【０００４】
ところで、ストロボ装置を具えたデジタルカメラにおいては、近年のズーム率の増大に伴ってレンズが大口径化しており、この様な場合にもストロボ装置からの光が鏡筒部によって遮られないようにするためには、ポップアップヘッドのポップアップ位置を十分に高く且つ前方の位置に設定する必要がある。
【０００５】
しかしながら、従来のストロボ装置を具えたデジタルカメラにおいては、ポップアップヘッドを収容位置からポップアップ位置まで円弧軌跡を描いて回動させる構成のため、ポップアップヘッドのポップアップ位置を十分に高く且つ前方の位置に設定するためには、ポップアップヘッドの円弧軌跡の半径を大きくする必要があり、これによってリンク機構の大形化、ひいては筐体の大形化を招く問題があった。
【０００６】
又、ポップアップヘッドが筐体の開口から飛び出る際の円弧軌跡の移動を許容するべく、筐体には、上面キャビネットと前面キャビネットに跨る開口を形成せねばならない問題があった。
【０００７】
そこで本発明の目的は、撮像機器において、ポップアップヘッドを出没させるために筐体の上面のみに開口を形成すればよく、然も、ポップアップヘッドのポップアップ位置を十分に高く且つ前方の位置に設定することが出来る、コンパクトな構成のストロボ装置を提供することである。
【課題を解決するための手段】
【０００８】
本発明に係る撮像機器においては、筐体(１)にストロボ装置(２)が内蔵され、該ストロボ装置(２)は、筐体(１)の前方へ向けて光を発する発光部(31)を有するポップアップヘッド(３)と、該ポップアップヘッド(３)を筐体(１)内部の収容位置と筐体(１)から突出したポップアップ位置との間で往復移動可能に支持する支持機構とを具え、ポップアップヘッド(３)は、前記収容位置から前記ポップアップ位置へ向けて付勢されると共に、前記収容位置にてロックすることが可能となっている。
【０００９】
ここで、前記支持機構は、支持フレーム(４)と、支持フレーム(４)上に降下位置と上昇位置の間で昇降可能に支持された昇降部材(５)と、該昇降部材(５)を降下位置から上昇位置へ向けて付勢する第１付勢手段と、昇降部材(５)上に配備されてポップアップヘッド(３)を第１回動姿勢と該回動姿勢から前方へ回動した第２回動姿勢の間で回動可能に支持するリンク機構(100)と、該リンク機構(100)を第１回動姿勢から第２回動姿勢へ向けて付勢する第２付勢手段とを具え、
前記リンク機構(100)が第１回動姿勢に設定された状態で該リンク機構(100)が昇降部材(５)と共に昇降可能であり、昇降部材(５)が上昇位置に設定された状態でリンク機構(100)の回動が許容される。
【００１０】
上記本発明のストロボ装置を具えた撮像機器においては、ポップアップヘッド(３)が収容位置からポップアップ位置まで移動する過程で、ポップアップヘッド(３)は、先ず昇降部材(５)の降下位置から上昇位置までの移動に伴って、収容位置から上昇して筐体(１)の開口(12)から突出し、その後、リンク機構(100)の第１の回動姿勢から第２の回動姿勢までの回動に伴って、円弧軌跡を描いて前方へ移動し、最終的にポップアップ位置に達する。
【００１１】
この様に、ポップアップヘッド(３)は、先ず上昇移動によってある程度の高さに達した後、更にその後の回動によって更に高く且つ前方へ移動することになる。従って、ポップアップヘッド(３)のポップアップ位置を十分に高く且つ前方の位置に設定することが出来る。
【００１２】
ここで、リンク機構(100)は、ポップアップヘッド(３)の前方への移動に寄与すればよく、ポップアップヘッド(３)の上昇には大きく寄与する必要がない。従って、リンク機構(100)の回転半径を短くすることが可能であり、これによってリンク機構(100)の小形化を図ることが出来る。
【００１３】
又、ポップアップヘッド(３)が筐体(１)の開口(12)から突出するときの移動軌跡は、開口(12)に対して垂直の直線となる。従って、筐体(１)の開口(12)は、筐体(１)の上面にのみ開口するものとすることが可能である。
【００１４】
具体的態様において、前記リンク機構(100)は、前記昇降部材(５)に設けられた２本の回転軸(６)(７)と、前記ポップアップヘッド(３)に設けられた２本の回転軸(８)(９)と、前記昇降部材(５)の２本の回転軸(６)(７)を前記ポップアップヘッド(３)の２本の回転軸(８)(９)にそれぞれ連結する２本のリンク部材(71)(91)とを具えて、４節リンク機構を構成している。
該具体的態様によれば、第１回動姿勢のリンク機構(100)によってポップアップヘッド(３)を所定の姿勢に規定し、第２回動姿勢のリンク機構(100)によってポップアップヘッド(３)を所定の姿勢に規定することが出来る。
【００１５】
更に具体的な態様において、筐体(１)には、前記ポップアップヘッド(３)のロックを解除するためのロック解除釦(40)が配備されている。
該具体的態様によれば、ロック解除釦(40)の操作によって、ポップアップヘッド(３)のロックが解除され、その結果、昇降部材(５)が第１付勢手段によって降下位置から上昇位置まで付勢され、その後、リンク機構(100)が第２付勢手段によって第１回動姿勢から第２回動姿勢まで付勢されることになる。
【発明の効果】
【００１６】
本発明に係るストロボ装置を具えた撮像機器によれば、ポップアップヘッドを出没させるために筐体の上面のみに開口を形成すればよく、然も、ポップアップヘッドのポップアップ位置を十分に高く且つ前方の位置に設定することが出来る。又、リンク機構の小形化によってコンパクトな構成のストロボ装置を実現することが出来る。
【図面の簡単な説明】
【００１７】
【図１】図１は、本発明の一実施形態であるデジタルカメラにおいてポップアップヘッドが収容位置に設定されている状態を示す斜視図である。
【図２】図２は、該デジタルカメラにおいてポップアップヘッドが中間位置に設定されている状態を示す斜視図である。
【図３】図３は、該デジタルカメラにおいてポップアップヘッドがポップアップ位置に設定されている状態を示す斜視図である。
【図４】図４は、ポップアップヘッドが収容位置に設定されている状態のストロボ装置の斜視図である。
【図５】図５は、該ストロボ装置を他の方向から見た斜視図である。
【図６】図６は、該ストロボ装置の側面図である。
【図７】図７は、該ストロボ装置の拡大断面図である。
【図８】図８は、ポップアップヘッドが中間位置に設定されている状態のストロボ装置の斜視図である
【図９】図９は、該ストロボ装置を他の方向から見た斜視図である。
【図１０】図１０は、該ストロボ装置の側面図である。
【図１１】図１１は、該ストロボ装置の拡大断面図である。
【図１２】図１２は、ポップアップヘッドがポップアップ位置に設定されている状態のストロボ装置の斜視図である。
【図１３】図１３は、該ストロボ装置を他の方向から見た斜視図である。
【図１４】図１４は、該ストロボ装置の側面図である。
【図１５】図１５は、該ストロボ装置の拡大断面図である。
【発明を実施するための形態】
【００１８】
以下、本発明をデジタルカメラに実施した形態につき、図面に沿って具体的に説明する。
本発明の一実施形態であるデジタルカメラは、図１〜図３に示す如く、筐体(１)の前面に撮影レンズ(10)を具えると共に、筐体(１)の上面に、シャッター釦(11)を具えている。
【００１９】
尚、以下の説明では、図１〜図３に示す如く筐体(１)が撮影レンズ(10)の光軸を水平方向に向けた姿勢で、撮影レンズ(10)による撮影方向を前方とし、前方に向かって上下左右を規定する。
【００２０】
筐体(１)にはストロボ装置(２)が内蔵されており、該ストロボ装置(２)は、図３に示す如く発光部(31)を有するポップアップヘッド(３)を具えている。
ポップアップヘッド(３)は、図１に示す如く筐体(１)の開口(12)の内部に収容されてポップアップヘッド(３)の上面だけを露出させた収容位置と、図２に示す如く筐体(１)の開口(12)から上方に突出した中間位置と、図３に示す如く筐体(１)の開口(12)から更に上方へ且つ前方へ突出したポップアップ位置との間で、往復移動が可能となっている。
【００２１】
図４に示す如く、ストロボ装置(２)においては、前記筐体(１)の内部に固定されるべき支持フレーム(４)上に、ポップアップヘッド(３)を構成するヘッドフレーム(32)が支持されている。
尚、支持フレーム(４)は、上面が開口したケース状に形成されている。
【００２２】
又、図５に示す如く支持フレーム(４)にはロック解除釦(40)が左右方向にスライド可能に配備され、該ロック解除釦(40)は、前記筐体(１)の背面から操作が可能となっている。
ヘッドフレーム(32)には、図９に示す如くロック受け面(33)が上向きに形成されており、図１に示す収容状態では、ロック解除釦(40)の背面に突設したフック片(図示省略)がロック受け面(33)に当接して、ポップアップヘッド(３)を収容位置にロックしている。
【００２３】
ポップアップヘッド(３)のロックを解除するときは、ロック解除釦(40)をバネ(図示省略)の付勢に抗して図５の位置から図９の位置までスライドさせる。これによって、ロック解除釦(40)のフック片がヘッドフレーム(32)のロック受け面(33)から離脱して、ポップアップヘッド(３)を図１の収容位置から図３のポップアップ位置までポップアップさせることが出来る。
【００２４】
図７、図１１及び図１５に示す如く、支持フレーム(４)上には、昇降部材(５)が昇降可能に配備されている。該昇降部材(５)には、上下に長いガイド溝(51)が開設され、支持フレーム(４)に突設されたガイド軸(45)が該ガイド溝(51)に摺動可能に嵌合して、該ガイド軸(45)によって昇降部材(５)の上下移動が案内されている。
【００２５】
昇降部材(５)には、それぞれ左右に伸びる第１回転軸(６)と第２回転軸(７)とが設けられている。又、ポップアップヘッド(３)のヘッドフレーム(32)には、それぞれ左右に伸びる第３回転軸(８)と第４回転軸(９)とが設けられている。
そして、第１回転軸(６)は第１リンク部材(91)を介して第４回転軸(９)に連結され、第２回転軸(７)は第２リンク部材(71)を介して第３回転軸(８)に連結されている。
斯くして、昇降部材(５)、第１リンク部材(91)、第２リンク部材(71)及びヘッドフレーム(32)によって４節リンク機構(100)が構成されている。
【００２６】
尚、第１リンク部材(91)は、図１３に示す様に第２リンク部材(71)の左右に設けられており、第１回転軸(６)は、左右一対の第１リンク部材(91)(91)の基端部に跨って左右に伸びており、左右一対の第１リンク部材(91)(91)の基端部が第１回転軸(６)の両端部にそれぞれ連結されている。
【００２７】
図１５の如く、支持フレーム(４)上には、支軸(46)が立設され、該支軸(46)の上端部に左右に長い回転軸(47)を介して回動アーム(48)の基端部が連結されている。
【００２８】
回動アーム(48)の先端部には、回転軸(47)から離れる方向に長く伸びる長孔(49)が開設されている。又、図１３に示す如く、第１リンク部材(91)には連結アーム(93)が突設され、該連結アーム(93)の先端部には、スライドピン(94)が突設されている。そして、図１５に示す如く回動アーム(48)の長孔(49)に連結アーム(93)のスライドピン(94)が摺動可能に嵌合している。
【００２９】
尚、支軸(46)及び回動アーム(48)は、図１３に示す第２リンク部材(71)の左右に設けられており、左右一対の回動アーム(48)(48)の先端部がそれぞれスライドピン(94)を介して一対の連結アーム(93)(93)に連結されている。
【００３０】
第１回転軸(６)の両端部にはそれぞれ、図６に示す如く外周面が２つの平行な面と２つの円弧面からなるスライダー(44)が固定されている。又、支持フレーム(４)にはガイド溝(41)が開設されており、該ガイド溝(41)は、上下に伸びる直線溝部(42)と、該直線溝部(42)の上端に繋がる円形拡大部(43)とから構成され、該ガイド溝(41)にスライダー(44)が摺動可能に嵌合している。
【００３１】
図７に示す如く、昇降部材(５)の底部と支持フレーム(４)との間には、圧縮されたコイルスプリング(52)が介在しており、該コイルスプリング(52)によって昇降部材(５)が上方に付勢されている。
【００３２】
又、第１回転軸(６)には、第１リンク部材(91)と昇降部材(５)との間で圧縮された第１トーションスプリング(61)が装着されており、該トーションスプリング(61)によって第１リンク部材(91)が第１回転軸(６)を中心として昇降部材(５)に対して図７上で時計方向に回転付勢されている。
【００３３】
更に又、第４回転軸(９)には、第２リンク部材(71)とヘッドフレーム(32)との間で圧縮された第２トーションスプリング(92)が装着されており、該トーションスプリング(92)によってヘッドフレーム(32)が第４回転軸(９)を中心として第２リンク部材(71)に対して図７上で反時計方向に回転付勢されている。
【００３４】
図４〜図６に示す如くポップアップヘッド(３)が収容位置に設定されている状態では、後述するロック機構によって、図７に示す如く、昇降部材(５)はコイルスプリング(52)に抗して降下位置に保持されている。そして、第１リンク部材(91)は第１トーションスプリング(61)に抗して反時計方向の回動端に保持され、第２リンク部材(71)は反時計方向の回動端に保持されている。又、ヘッドフレーム(32)は第２トーションスプリング(92)に抗して時計方向の回動端に保持されている。
【００３５】
この状態で、図６に示す如くスライダー(44)はその外周面をガイド溝(41)の直線溝部(42)に嵌合させており、これによって第１回転軸(６)の回転を阻止している。斯くして、昇降部材(５)が降下位置と上昇位置の間で往復移動する過程では、４節リンク機構(100)を第１回動姿勢に保持する回動規制機構が構成され、４節リンク機構(100)は、第１の回動姿勢に保持された状態で支持フレーム(４)内に収容されている。
【００３６】
又、図９に示すヘッドフレーム(32)のロック受け面(33)にロック解除釦(40)のフック片(図示省略)が当接して、ポップアップヘッド(３)を収容位置にロックしている。斯くしてポップアップヘッド(３)を収容位置にてロックするヘッドロック機構が構成される。
【００３７】
この状態からロック解除釦(40)を図９の如く右方へスライドさせると、ロック解除釦(40)のフック片がヘッドフレーム(32)のロック受け面(33)から離脱して、ポップアップヘッド(３)のロックが解除される。
これによって、図１１に示す如く、昇降部材(５)がコイルスプリング(52)により付勢されて、降下位置から上昇位置まで移動する。そして、この昇降部材(５)の移動に伴って、４節リンク機構(100)及びポップアップヘッド(３)も姿勢を変えることなく上方へ移動し、ポップアップヘッド(３)は、図２及び図８に示す中間位置に達することになる。
【００３８】
この時点で、図１０に示す如く、スライダー(44)はガイド溝(41)の直線溝部(42)から円形拡大部(43)に移動して、直線溝部(42)による拘束状態から脱出し、円形拡大部(43)内での回転が可能となる。これによって、第１回転軸(６)の回転が許容される(図１４参照)。
【００３９】
この結果、４節リンク機構(100)は、図８〜図１１に示す第１回動姿勢から、第１リンク部材(91)が第１トーションスプリング(61)により付勢されて時計方向に回動すると共に、第２リンク部材(71)が時計方向に回動して、図１２〜図１５に示す第２回動姿勢に達することになる。
【００４０】
これに伴ってポップアップヘッド(３)が図１１に示す中間位置から図１５に示すポップアップ位置まで、上方へ移動すると共に前方へ移動する。
この過程で、ポップアップヘッド(３)は第２トーションスプリング(92)によって図１５上で反時計方向に付勢され、４節リンク機構(100)が第２回動姿勢に達した状態では、図３に示す如く発光部(31)を前方へ向けることになる。
【００４１】
又、昇降部材(５)の上昇、並びに４節リンク機構(100)の第１回動姿勢から第２回動姿勢への回動に伴って、第１リンク部材(91)上のスライドピン(94)が図１１及び図１５に示す如く上昇することにより、回動アーム(48)が回転軸(47)を中心として反時計方向に回転し、図１５に示す４節リンク機構(100)の第２回動姿勢では、スライドピン(94)が回動アーム(48)の長孔(49)の内周面端部に当接して、第１リンク部材(91)のそれ以上の回動を阻止する。
この結果、ポップアップヘッド(３)のポップアップ位置における姿勢が正確に規定されることになる。
【００４２】
ポップアップヘッド(３)を図３に示すポップアップ位置から図１に示す収容位置に戻す際には、ポップアップヘッド(３)を筐体(１)の開口(12)の内部へ向けて押し下げる。
これによって、４節リンク機構(100)が図１５に示す第２回動姿勢から図１１に示す第１回動姿勢まで回動し、更に昇降部材(５)が図１１に示す上昇位置から図７に示す降下位置まで下方に移動する。そして、最終の段階で、ロック解除釦(40)が前記バネの弾性変形及び弾性復帰により僅かに往復移動することによって、図９に示すヘッドフレーム(32)のロック受け面(33)にロック解除釦(40)のフック片(図示省略)が再び当接して、ポップアップヘッド(３)を図１に示す収容位置にてロックする。
【００４３】
上記デジタルカメラにおいては、ポップアップヘッド(３)が収容位置からポップアップ位置まで移動する過程で、ポップアップヘッド(３)は、先ず昇降部材(５)の降下位置から上昇位置までの移動に伴って、収容位置から上昇して筐体(１)の開口(12)から突出し、その後、４節リンク機構(100)の第１の回動姿勢から第２の回動姿勢までの回動に伴って、円弧軌跡を描いて前方へ移動し、最終的にポップアップ位置に達する。
【００４４】
この様に、ポップアップヘッド(３)は、先ず上昇移動によってある程度の高さに達した後、更にその後の回動によって更に高く且つ前方へ移動することになる。従って、ポップアップヘッド(３)のポップアップ位置を十分に高く且つ前方の位置に設定することが出来る。
【００４５】
ここで、４節リンク機構(100)は、ポップアップヘッド(３)の前方への移動に寄与すればよく、ポップアップヘッド(３)の上昇には大きく寄与する必要がない。従って、４節リンク機構(100)の回転半径を短くすることが可能であり、これによって４節リンク機構(100)の小形化、ひいては筐体(１)の小形化を図ることが出来る。
【００４６】
又、ポップアップヘッド(３)が筐体(１)の開口(12)から突出するときの移動軌跡は、開口(12)に対して垂直の直線となる。これによって、筐体(１)の開口(12)は、筐体(１)の上面にのみ開口するものになっている。
【００４７】
尚、本発明の各部構成は上記実施の形態に限らず、特許請求の範囲に記載の技術的範囲内で種々の変形が可能である。例えば上述の４節リンク機構(100)に代えて、種々のリンク機構を採用することが出来る。
【符号の説明】
【００４８】
(１)  筐体
(２)  ストロボ装置
(３)  ポップアップヘッド
(31)  発光部
(32)  ヘッドフレーム
(４)  支持フレーム
(40)  ロック解除釦
(５)  昇降部材
(52)  コイルスプリング
(６)  第１回転軸
(７)  第２回転軸
(８)  第３回転軸
(９)  第４回転軸
(91)  第１リンク部材
(71)  第２リンク部材
(61)  第１トーションスプリング
(92)  第２トーションスプリング
【図１】
2014048449.tif 000003
【図２】
2014048449.tif 000004
【図３】
2014048449.tif 000005
【図４】
2014048449.tif 000006
【図５】
2014048449.tif 000007
【図６】
2014048449.tif 000008
【図７】
2014048449.tif 000009
【図８】
2014048449.tif 000010
【図９】
2014048449.tif 000011
【図１０】
2014048449.tif 000012
【図１１】
2014048449.tif 000013
【図１２】
2014048449.tif 000014
【図１３】
2014048449.tif 000015
【図１４】
2014048449.tif 000016
【図１５】
2014048449.tif 000017